(57)【要約】【課題】　ノート型パソコンを平面状の机上に置いたときに最適な操作性及び視認性が得られる傾斜角度をもった簡易型のスタンド装置であって、最も軽量かつ極小で簡易な取り付けによって、使用者にあった傾斜角に角度を調整できる傾斜用スタンド装置を提供する。【解決手段】　基台と開脚平板より構成され、当該基台の彫り込み内部には押さえ用突起部と両端部に回転軸孔を有し、該開脚平板は両端に前記回転軸孔と嵌合する突起軸を有し、当該押さえ用突起部の押圧によって係り止めするスリット溝を形成させることにより、当該基台の両端部の回転孔に該開脚平板の両端突起軸を嵌合させ、未使用時に基台内部に開脚平板が一体収納されハードディスク部の底面に着脱可能としたことを特徴とする。【選択図】図４
0003099172.tif 000002
【実用新案登録請求の範囲】
【請求項１】
モニター部とハードディスク部を連結し折り畳み可能な形態とした、ノート型パーソナルコンピュータの傾斜スタンドにおいて、前記傾斜スタンドはコの字型基台と開脚平板より構成され、前記基台の内部に前記開脚平板が収納される形態であって、当該基台の彫り込み内部には押さえ用突起部と両端部に回転軸孔を有し、該開脚平板は両端に前記回転軸孔と嵌合する突起軸を有し、当該押さえ用突起部の押圧によって係り止めするスリット溝を形成させることにより、当該基台の両端部の回転孔に該開脚平板の両端突起軸を嵌合させ、当該嵌合部を支点として開脚平板を開脚させ使用するもので、未使用時に基台内部に開脚平板が一体収納され前記ハードディスク部の底面に着脱可能としたことを特徴とする、ノート型パソコンスタンド。
【考案の詳細な説明】
【技術分野】
【０００１】　本考案は、ノート型パーソナルコンピュータに好適な傾斜角度を付けるためのスタンド装置に関し、モニター等表示画面部が見易く、かつキーボード操作が快適に行えるように改良したもので、特に軽量かつ簡易型の着脱可能な傾斜用スタンド装置に関するものである。
【背景技術】
【０００２】　従来のノート型パーソナルコンピュータ（以下、ノート型パソコンという。）いわゆるラップトップ型パソコンやペン入力型コンピュータ等は軽量かつ持ち運び等の利便性並びに高性能化していることから、モニターとハードディスクが分離したコンピュータ、いわゆるディスクトップ型パソコンに加えて、急速に使用されてきているのが実情である。【０００３】そこで、ノート型パソコンの使用は通常、車内などでは膝の上で操作使用することもあるが、特に場所的な限定がない場合は通常は机上に直接置いて使うか、平面的な場所に置いて使用するのが一般的である。この場合、机上に直接置いて使うか、平板状のスタンド上にパソコンを置いて使用する際に、パソコンの後部（表示部取付個所）を若干高くするような脚付きの構造のものもある。このスタンド上にパソコンを置き、パソコンの表示部を開いた状態で表示部の面をある角度だけ傾斜させて使用するが、パソコン表示部の傾斜角度はパソコンの表示部自体を調整して行っていた。【０００４】そこで、実際にノート型パソコンを操作する上でモニター表示画面における調整は、ハードディスク本体と連結するモニター部を前後可動させることで視認できる角度に調整を行っていたが、実際に本体からキー入力する場合はフラットな状態では入力し辛いのが現状であり、これらを改善する手段としては特開平６−３１０８７３における技術や、更に改良を加えたとする特開２００２−１１６８４４など種々の創案がなされているものであった。
【考案の開示】
【考案が解決しようとする課題】
【０００５】　然しながら、上述したように従来のノート型パソコンはパソコン本体底部が平坦に形成されているものが殆どであり、キー入力の際に作業性が悪かった。また一部のものは最初からある一定の固定角度で置くのみの機構となっているので、使用者にとってはそれが最適の角度であるとは限らず、使用者にとっては作業効率を低下させるといった欠点があった。【０００６】また、前述する特開平６−３１０８７３においてはヒンジを軸として任意角度に調整可能なスタンドを提供とするものであるが、ノート型パソコンは持ち運びの利便性から使用する机上は特定された場所で使用することよりも、種々の場所で使用されることが多い。そこで前述技術のスタンドでは軽量なノート型パソコンと同時に大掛かりなスタンドを同時に持ち歩くといった不便が生じる。更に、スタンド装置は最も軽量かつ小型で簡易的なものが望まれるところ、当該技術によるスタンド装置はノート型パソコンの利便性を失うといった欠点が生じる。【０００７】更に、特開２００２−１１６８４４におけるスタンド装置も前述同様に、使用する机やテーブル等に固定する手段をとっていることから使用する机上が特定されているため、他で使用する場合には意味を成さない。更に当該スタンドを自立保持可能な広さに基台の底面を形成した場合は、スタンドの自重によっては固定が不要となるとあるものの、前述したように軽量なノート型パソコンに対してスタンド自体が大掛かりであることから、持ち運びの点及び装置の構造上からも高コストとなり、利便性の点でも勿論ながら欠点が生じる。【０００８】本考案は上述の種々なる問題点に鑑み、その問題点を解決するため、平面状の机上に置いたときに最適な操作性及び視認性が得られる傾斜角度をもった簡易型のスタンド装置が望まれていたことに対して、最も軽量かつ極小であって簡易な取り付けによって、使用者にあった傾斜角に角度を調整できる傾斜用スタンド装置を提供し、これまで前述した欠点を解消しようとするものである。
【考案が解決するための手段】
【０００９】　本考案のノート型パソコンスタンドは、モニター部とハードディスク部を連結し折り畳み可能な形態とした、ノート型パーソナルコンピュータの傾斜スタンドにおいて、前記傾斜スタンドはコの字型基台と開脚平板より構成され、前記基台の内部に前記開脚平板が収納される形態であって、当該基台の彫り込み内部には押さえ用突起部と両端部に回転軸孔を有し、該開脚平板は両端に前記回転軸孔と嵌合する突起軸を有し、当該押さえ用突起部の押圧によって係り止めするスリット溝を形成させることにより、当該基台の両端部の回転孔に該開脚平板の両端突起軸を嵌合させ、当該嵌合部を支点として開脚平板を開脚させ使用するもので、未使用時に基台内部に開脚平板が一体収納され前記ハードディスク部の底面に着脱可能としたことを特徴とする、ノート型パソコンスタンドを提供し上述の問題点を解決している。
【考案の効果】
【００１０】　本考案によるノート型パソコンスタンドによれば、これまでのスタンドのような大型かつ高重量なものに比べ、軽量かつ小型であることから机上のスペースを占拠することもなく、パソコン本体の形状での作業スペースで済む。更に、これまでの複雑な構造によるスタンドに比べ組み立ても簡易であると共に部品点数も少なく、小型部材であることからコストも安価のものが提供できる。
【００１１】また、使用者自信に適する角度に取り付けが簡便であり、特に着脱自在とした手段をとることで、本考案のパソコンスタンドは軽量かつ小型であることから持ち運びの利便性に秀でている。以上の如く、本考案により、これまでにないノート型パソコンスタンドを提供することで、より一層ノート型パソコンの使用向上の波及効果がある。
【考案を実施するための最良の形態】
【００１２】　本考案は、基本的に２点の部品構成を組み合わせ、左右対称に２個のスタンド装置をノート型パソコン本体の底部に固着すればよい。使用の際に、左右の開脚平板１を手で下方に引くことで開脚されるため、使用者が最も作業しやすい角度に固着することでよい。なお、作業者にあった傾斜角度を得るためにはノート型パソコン本体の底部に取着する位置で調整することができる。
【実施例】
【００１３】　本考案におけるノート型パソコンスタンドの構成と使用実施例を図１乃至り図１２の添付図面に基づいて詳述する。図１は本考案の一実施形態に係るノート型パソコンスタンドを示す各部品の平面図であり、図２及び図３は各々正面図並びに側面図を表す。また同実施例の組み立てる状態の斜視図を図４に表す。各図において、実施形態に係るノート型パソコンスタンドは、基台１と開脚平板２より構成されている。【００１４】図１乃至り図３に示すＡは基台１を表しＢは開脚平板２を表す。図中Ａの基台１は両側面部に回転軸孔３と開脚平板２を収納する彫り込み部５と押さえ用突起部４を一体形成し、Ｂの開脚平板２は両端に前記回転軸孔３と嵌合する突起軸６を有し、当該押さえ用突起部４の押圧によって係り止めするスリット溝７より一体形成されている。ここで当該基台１は彫り込み部５を有する形状から全体的にコの字型の形態を表しているが、開脚平板２の形状に合わせて成ることから、例えば開脚平板２の形状が平板型でなかった場合には、基台１がコの字型を呈する形になることでもなく、丸みを帯びた形状にすることも可能なことから、ここで外観形状を限定するものではない。【００１５】使用形態について図４を参照し説明すると、開脚平板２の側面部位の押圧面８の両端を、指で図中に示すような押力方向Ａに向かって圧力を掛けて、基台１の回転軸孔３に嵌め込む。当該開脚平板２にはスリット溝７によって押圧面８に圧力を加えることで簡易に回転軸孔３に嵌め込むことができる。このとき突起軸６と回転軸孔３は互いに嵌合軸支され、開脚平板２が容易に開脚される。【００１６】図５Ｃは組み立てた後の、開脚平板２を基台１の彫り込み部５に収納し閉じた状態の斜視図で、図中Ｄは、開脚平板２を起こした状態の斜視図を表す。また、徐々に開脚していく様子を表したのが図６の斜視図である。これらの図から開脚動作の上で、図１及びその他の図で示すように押さえ用突起部４は、半円弧状又はＲ面に加工されていることで開脚平板２を彫り込み部５内に収納する時には、開脚平板２の押圧面８の両端をスムーズにスリット溝７を狭めながら倒すことができ、閉じた時には、常に押圧面８からスリット溝７を押している事になり指で上げなければ開脚しない。また開脚時にはスリット溝７が復帰して押圧面８が押さえ用突起部４に引っ掛かり、指で折りたたまなければ閉じることができない役目を当該押さえ用突起部４がしている。【００１７】図７は、ノート型パソコン９に貼着使用を表す斜視図であって、基台１底面には両面テープ１２が施されており、この場合、パソコン底部１０の貼着部位１１に両面テープ１２の保護テープを剥がして貼り付けるだけで、スタンドの使用が可能となる。この貼着部位はパソコン使用者が良いと思われる傾斜角となるよう任意の場所に貼付するもので、パソコンの機種によっては取り付けられる場所も、使用者自信が適宜の場所を選定することでよい。図８に開脚平板２を起こして使用状態を表した斜視図を示す。【００１８】図９は本考案のパソコンスタンドを取り付け、開脚平板２を閉じた状態で机上１３に置いた状態の側面図で、開脚平板２を起こした状態で前記机上１３に置いた状態の側面図を図１０に示す。【００１９】次に本考案の第２実施例として、基台１の底面にマジックテープ（登録商標）オス１４を施し、パソコン底部１０にはマジックテープメス１５を貼着した状態の斜視図を図１１に示し、本考案のパソコンスタンドを任意位置に取り付けた状態の斜視図を図１２に示す。この場合、マジックテープオス１４、メス１５は基台１とパソコン底部１０のどちらかに分けて貼着すればよく、その際にパソコン底部１０側に貼着する長さをある程度長めに施すことによって、基台１の取り付け範囲が広がり、パソコン使用者は自分に最も適する傾斜角度に本体を調整できる。また、当該マジックテープを使用することによって簡単にパソコンとスタンドを着脱自在にすることができる。【００２０】本考案におけるノート型パソコン用スタンドは、実作のうえ使用実験した材質が、ＡＢＳ（アクリロニトリル・ブタジエン・スチレン）材のものが最も適したものであったが、前記ＡＢＳのようなプラスチック系樹脂材の他、軽量かつ耐久性に優れ低コスト的な素材であれば、前記材質にこだわるものではなく、最も有効な適宜素材なものが望ましい。また、本考案のスタンドは縦２５ｍｍ、横２０ｍｍ、厚さ５ｍｍのものであったが、前記寸法のものに限定するものでもなく、また基台１と開脚平板２の形状は、四角形状であったが円弧形状等のＲ面を多く取り入れた形状であっても差支えがない。よってここで、素材・寸法・形状は適宜のものを採択すればよく、本考案の作用部と構成を満たしたものは全て本考案に包含される。
【図面の簡単な説明】
【００２１】
【図１】本考案の実施形態を表す平面図である。
【図２】同実施例の正面図。
【図３】同実施例の側面図。
【図４】同実施例の組み立て状態を表す斜視図。
【図５】Ｃは組み立て後、折りたたんだ状態を表し、Ｄは組み立て後、起こした状態を表す斜視図である。
【図６】徐々に開脚していく様子を表した斜視図である。
【図７】パソコンに取り付けた状態を表す斜視図である。
【図８】上図使用状態を表した斜視図。
【図９】貼着し机上に置いた状態の側面図。
【図１０】貼着し机上に置いて使用する状態の側面図。
【図１１】第２実施例による、パソコンに取り付けた状態を表す斜視図である。
【図１２】第２実施例による、任意位置に取り付けた状態を表す斜視図である。
【符号の説明】
【００２２】　１：基台　　　　　　　　　２：開脚平板　３：回転軸孔　　　　　　　４：押さえ用突起部　５：彫り込み部　　　　　　６：突起軸　７：スリット溝　　　　　　８：押圧面　９：ノート型パソコン　　１０：パソコン底部１１：貼着部位　　　　　　１２：両面テープ１３：机上部　　　　　　　１４：マジックテープ（オス）１５：マジックテープ（メス）
【図１】
0003099172.tif 000003
【図２】
0003099172.tif 000004
【図３】
0003099172.tif 000005
【図４】
0003099172.tif 000006
【図５】
0003099172.tif 000007
【図６】
0003099172.tif 000008
【図７】
0003099172.tif 000009
【図８】
0003099172.tif 000010
【図９】
0003099172.tif 000011
【図１０】
0003099172.tif 000012
【図１１】
0003099172.tif 000013
【図１２】
0003099172.tif 000014